【手続補正書】
【提出日】平成29年12月28日(2017.12.28)
【手続補正１】
【補正対象書類名】特許請求の範囲
【補正対象項目名】全文
【補正方法】変更
【補正の内容】
【特許請求の範囲】
【請求項１】
ユーザからの接触による操作を受け取るための操作面上に重ねられる触覚型デバイスであって、
前記操作面および間隙を伴ってその上に重ねられる透明シートから形成されるパウチと、
前記パウチ内に密封され、圧力および／または圧力振動を伝達するべく構成される液体またはゲル類似物質と、
前記透明シート内および／または前記物質内に触覚信号を、前記ユーザに伝達されるように生成するべく構成されるアクチュエータと、
を含む触覚型デバイス。
【請求項２】
ユーザからの接触による操作を受け取るための操作面上に重ねられる触覚型デバイスであって、
間に間隙を伴うペアの透明シートから形成されるパウチであって、前記操作面上に重ねられ、前記透明シートのうちの少なくとも１つが前記ユーザから前記操作を受けて変形可能であるパウチと、
前記パウチ内に密封され、圧力および／または圧力振動を伝達するべく構成される液体またはゲル類似物質と、
前記透明シート内および／または前記物質内に触覚信号を、前記ユーザに伝達されるように生成するべく構成されるアクチュエータと、
を含む触覚型デバイス。
【請求項３】
さらに、
前記パウチへの前記ユーザからの前記操作に応答して生成された前記圧力および／または圧力振動を検出するべく構成されたセンサと、
前記センサによる検出結果に基づいて前記アクチュエータのための駆動信号を生成するべく構成されたコントローラと、
を含む請求項１または２に記載の触覚型デバイス。
【請求項４】
前記アクチュエータおよび前記センサは、セルフセンシング・トランスデューサとして提供される、
請求項３に記載の触覚型デバイス。
【請求項５】
前記操作面はタッチスクリーンの面である、
請求項１または２に記載の触覚型デバイス。
【請求項６】
耐久性接触表面の面に重ねられる可変形オーバーレイであって、
弾性両面接着テープを介してタッチスクリーンの周囲のそれの面に取り付けられる可撓性シートと、
前記可撓性シートおよび前記耐久性接触表面の前記面によって形成されるパウチと、
前記パウチ内に密封される物質と、
前記可撓性シートの外側上面に少なくともわたって伝播する剪断および曲げ波を生成するべく構成されたオーバーレイ用振動触知トランスデューサと、
前記耐久性接触表面に関して接触事象およびそれの位置を検出するべく構成された検出器と、
を含む可変形オーバーレイ。
【請求項７】
前記可撓性シートは、透明な弾性材料から形成される、
請求項６に記載の可変形オーバーレイ。
【請求項８】
前記可撓性シートは、不透明または半透明な弾性材料から形成される、
請求項６に記載の可変形オーバーレイ。
【請求項９】
前記物質は、透明な液体またはゲル類似物質である、
請求項６または７に記載の可変形オーバーレイ。
【請求項１０】
前記物質は、人間の皮膚の角皮下層の密度と類似の密度を有する天然または合成の液体またはゲル類似物質である、
請求項６または９に記載の可変形オーバーレイ。
【請求項１１】
前記物質は、人間の皮膚の角皮下層の密度と類似の密度を有する不透明の弾性物質、発泡材料、またはその類である、
請求項６に記載の可変形オーバーレイ。
【請求項１２】
前記物質は、人間の皮膚の角皮下層の密度と類似の密度を有する天然または合成の液体またはゲル類似物質であり、
前記人間の皮膚の角皮下層の前記密度は、約１１００ｋｇ／ｍ３である、
請求項６に記載の可変形オーバーレイ。
【請求項１３】
前記可撓性シートはペアで提供され、
前記ペアの可撓性シートの１つが前記弾性両面接着テープを介して前記耐久性接触表面の前記面に取り付けられ、
前記パウチが前記ペアの可撓性シートの間に形成される、
請求項６に記載の可変形オーバーレイ。
【請求項１４】
前記耐久性接触表面とは反対側の上面の上の前記ペアの可撓性シートの少なくとも他方は、ユーザによる接触ポイントと前記オーバーレイ用振動触知トランスデューサの位置の間を剪断および曲げ波が伝播するように、透明で、可撓性および弾性を有するべく形成される、
請求項１３に記載の可変形オーバーレイ。
【請求項１５】
前記ペアの可撓性シートの両方が不透明な可撓性シートであり、
前記物質は、人間の皮膚の角皮下層の密度と類似の密度を有する不透明の弾性物質、発泡材料、またはその類である、
請求項１３に記載の可変形オーバーレイ。
【請求項１６】
前記オーバーレイ用振動触知トランスデューサは、アクチュエータを含む、
請求項６に記載の可変形オーバーレイ。
【請求項１７】
前記オーバーレイ用振動触知トランスデューサのうちの１つまたは複数は、前記耐久性接触表面のベゼルの近くに提供され、
前記オーバーレイ用振動触知トランスデューサのそれぞれは、前記可撓性シートの外側表面上、前記可撓性シートの内側表面上、または前記タッチスクリーンの前記面上に配置され、
前記オーバーレイ用振動触知トランスデューサのそれぞれが、ユーザによる接触ポイントに向かって伝播する剪断および曲げ波を生成する、
請求項１６に記載の可変形オーバーレイ。
【請求項１８】
前記物質はイオン性ゲルであり、ボトム側の前記可撓性シートは前記物質との電気接触を有し、トップ側の前記可撓性シートは前記物質との電気接触を持たず、それによってゲルによるオーディオ・スピーカを形成する、
請求項１３または１４に記載の可変形オーバーレイ。
【請求項１９】
前記可撓性シートおよび前記オーバーレイ用振動触知トランスデューサは、圧電高分子材料が電極としての透明な導電性の層に覆われるように、または導体および／または圧電作動構成要素が埋め込まれるように一体的に実装される、
請求項６に記載の可変形オーバーレイ。
【請求項２０】
前記可撓性シートのペアから形成される前記パウチは、前記耐久性接触表面から外に向かって提供される延長部を有し、
前記オーバーレイ用振動触知トランスデューサは、前記耐久性接触表面の外側の前記延長部に配置される、
請求項１３に記載の可変形オーバーレイ。
【請求項２１】
前記オーバーレイ用振動触知トランスデューサは、前記可撓性シートの内側表面上、かつ前記物質の内側に配置される、
請求項６に記載の可変形オーバーレイ。
【請求項２２】
前記オーバーレイ用振動触知トランスデューサは、前記耐久性接触表面の前記面の上、かつ前記物質の内側に配置される、
請求項６に記載の可変形オーバーレイ。
【請求項２３】
前記オーバーレイ用振動触知トランスデューサは前記ペアの可撓性シートの間、かつ前記物質の内側に配置される、
請求項１３に記載の可変形オーバーレイ。
【請求項２４】
前記オーバーレイ用振動触知トランスデューサは、前記オーバーレイ用振動触知トランスデューサがそれの周縁においてのみ前記物質との接触を有するように前記ペアの可撓性シートの間に挟み込まれる、
請求項２３に記載の可変形オーバーレイ。
【請求項２５】
前記オーバーレイ用振動触知トランスデューサは、前記可撓性シートのボトム側またはトップ側の可撓性シートの内側表面に配置されるか、または前記ペアのシートの間に、間隙を伴って／伴わずに挟み込まれる、
請求項２０に記載の可変形オーバーレイ。
【請求項２６】
前記オーバーレイは、前記耐久性接触表面の前記面を全体的に、または部分的に覆うべく提供される、
請求項６に記載の可変形オーバーレイ。
【請求項２７】
前記オーバーレイは、前記耐久性接触表面の前記面のそれぞれの部分を覆うべく複数で提供される、
請求項６に記載の可変形オーバーレイ。
【請求項２８】
前記オーバーレイ用振動触知トランスデューサに加えて、振動触知トランスデューサが、対となる他方の振動触知トランスデューサとして提供される、
請求項６に記載の可変形オーバーレイ。
【請求項２９】
前記オーバーレイ用振動触知トランスデューサおよび前記対の他方の振動触知トランスデューサは、異なる振動信号を生成するべく構成される、
請求項２８に記載の可変形オーバーレイ。
【請求項３０】
請求項６に記載の可変形オーバーレイと、
前記オーバーレイの前記可撓性シートを支持するべく提供されるケーシングと、
を含むアタッチメント・ユニット。
【請求項３１】
タッチスクリーンを有する移動体機器に、可撓性シートが直接、または間接的に前記タッチスクリーンに接触するように取り付けられる、
請求項３０に記載のアタッチメント・ユニット。
【請求項３２】
携帯型電子機器に取り付けられる、
請求項３０に記載のアタッチメント・ユニット。
【請求項３３】
さらに、
プリント回路基板と、
再充電可能バッテリと、
ＤＣ外部電力を受電するべく構成された外部電源コネクタと、
前記再充電可能バッテリ内に蓄電されている電力を、前記取り付けられている携帯型電子機器に供給するべく構成された内部電源コネクタと、
前記携帯型電子機器および別のデバイスと、前記タッチスクリーン上のユーザによる接触ポイントの座標、または振動信号のための変調されたパラメータを含む情報を交換するべく構成された情報交換コネクタと、
を含む請求項３２に記載のアタッチメント・ユニット。
【請求項３４】
前記再充電可能バッテリは、ニッケル‐カドミウム電池、ＮｉＭＨバッテリ、またはリチウム電池である、
請求項３３に記載のアタッチメント・ユニット。
【請求項３５】
前記再充電可能バッテリ内に蓄電される前記電力は、前記携帯型電子機器に、それのメイン・バッテリの残量が低くなったときに供給される、
請求項３４に記載のアタッチメント・ユニット。
【請求項３６】
前記プリント回路基板は、マイクロプロセッサ・ホスト・コントローラ・インターフェース、メモリ、およびトランスデューサ・コントローラを含み、
前記トランスデューサ・コントローラは、前記オーバーレイ用振動触知トランスデューサだけでなく、対となる他方のトランスデューサもコントロールする、
請求項３３に記載のアタッチメント・ユニット。
【請求項３７】
前記メモリは不揮発性メモリである、
請求項３６に記載のアタッチメント・ユニット。
【手続補正２】
【補正対象書類名】明細書
【補正対象項目名】００１５
【補正方法】変更
【補正の内容】
【００１５】
上で論じた問題点の観点から、本発明は、ユーザからの接触による操作を受け取るための操作面上に重ねられることになる触覚型デバイスを提供する。この触覚型デバイスは、パウチ、液体またはゲル類似物質、およびアクチュエータを含む。パウチは、操作面および間隙を伴ってその上に重ねられる透明シートから形成される。液体またはゲル類似物質はパウチ内に密封され、それを通じて圧力および／または圧力振動を伝達するべく構成される。アクチュエータは、透明シート内および／または物質内に触覚信号を、ユーザに伝達されるように生成するべく構成される。